(57)【要約】【課題】目盛の外側において立体感のある表示ができる計器装置を提供する。【解決手段】本発明に係る計器装置は、指針と、前記指針の指示対象となる目盛部が設けられた表示部と、前記表示部の背後に配置され、前記表示部を照光する光源と、前記表示部の前方に配置され、前記指針の作動範囲を囲む筒状部材を有する見返し部材と、を備え、前記目盛部は、前記光源からの光を透過して出射し、前記見返し部材の前記筒状部材の内壁は、前記目盛部が出射した前記光源からの光を前記内壁における隣接する他の領域よりも強く反射する強反射領域を有し、前記強反射領域は、前記内壁の周方向に対して垂直な方向に沿って延びる直線状の領域であり、一端が前記目盛部に向かって延びている。【選択図】図３
2011085554.tif 000002
【特許請求の範囲】
【請求項１】
指針と、
前記指針の指示対象となる目盛部が設けられた表示部と、
前記表示部の背後に配置され、前記表示部を照光する光源と、
前記表示部の前方に配置され、前記指針の作動範囲を囲む筒状部材を有する見返し部材と、を備え、
前記目盛部は、前記光源からの光を透過して出射し、
前記見返し部材の前記筒状部材の内壁は、前記目盛部が出射した前記光源からの光を前記内壁における隣接する他の領域よりも強く反射する強反射領域を有し、
前記強反射領域は、前記内壁の周方向に対して垂直な方向に沿って延びる直線状の領域であり、一端が前記目盛部に向かって延びている、
ことを特徴とする計器装置。
【請求項２】
前記表示部は、前記光源からの光を透過する透過部が設けられた表示板と、前記表示部の前方側から前記表示板を覆う導光部材と、を備え、
前記導光部材は、前記透過部が透過した前記光源からの光を透過して出射する凸部を備え、
前記目盛部は、前記凸部を含み、
前記筒状部材は、前記凸部が嵌る切欠きを備える、
ことを特徴とする請求項１に記載の計器装置。
【請求項３】
前記強反射領域は、前記内壁における凹部又は凸部からなることを特徴とする請求項１又は２に記載の計器装置。
【請求項４】
前記強反射領域は、前記他の領域よりも光沢がある領域であることを特徴とする請求項１乃至３のいずれか１項に記載の計器装置。
【発明の詳細な説明】
【技術分野】
【０００１】
本発明は、例えば、オートバイや自動車等の車両、船舶、建設機械等に搭載される計器装置に関するものである。
【背景技術】
【０００２】
上記車両用の計器装置として、例えば、特許文献１には、文字盤上に設けた導光体と、導光体内に光を入射する発光ダイオードと、導光体に設けられて発光ダイオードから発した光を反射して発光表示され運転者に視認させる複数の凹部とを備え、各凹部が車速計の目盛の一部を形成する構成の計器装置が開示されている。そして、特許文献１では、このような構成によって、目盛表示に立体感を持たせることができることが記載されている。
【先行技術文献】
【特許文献】
【０００３】
【特許文献１】特開２００３−３０２２６２号公報
【発明の概要】
【発明が解決しようとする課題】
【０００４】
しかし、特許文献１に記載された計器装置は、透明板に形成した凹部についての表示（つまり目盛の表示）に立体感を持たせるだけであるので、目盛の外側における表示に立体感を持たせるに至らなかった。
【０００５】
本発明は上記点に鑑みてなされたものであり、目盛の外側において立体感のある表示ができる計器装置を提供することを目的とする。
【課題を解決するための手段】
【０００６】
上記課題を解決するため、本発明に係る計器装置は、
指針と、
前記指針の指示対象となる目盛部が設けられた表示部と、
前記表示部の背後に配置され、前記表示部を照光する光源と、
前記表示部の前方に配置され、前記指針の作動範囲を囲む筒状部材を有する見返し部材と、を備え、
前記目盛部は、前記光源からの光を透過して出射し、
前記見返し部材の前記筒状部材の内壁は、前記目盛部が出射した前記光源からの光を前記内壁における隣接する他の領域よりも強く反射する強反射領域を有し、
前記強反射領域は、前記内壁の周方向に対して垂直な方向に沿って延びる直線状の領域であり、一端が前記目盛部に向かって延びている。
【発明の効果】
【０００７】
本発明に係る計器装置は、目盛の外側において立体感のある表示ができる。
【図面の簡単な説明】
【０００８】
【図１】本発明の第１実施形態に係る計器装置の概略正面図である。
【図２】本発明の第１実施形態に係る計器装置のスピードメータの一部断面図である。
【図３】本発明の第１実施形態に係るスピードメータが照光された場合の計器装置の概略正面図である。
【図４】本発明の第１実施形態に係るスピードメータの見返し部材の一例を示す図である。
【図５】本発明の第１実施形態に係るスピードメータの見返し部材の他の例を示す図である。
【図６】本発明の第１実施形態に係るスピードメータの見返し部材の他の例を示す図である。
【図７】本発明の第１実施形態に係る計器装置の他の例の概略正面図である。
【図８】本発明の第２実施形態に係る計器装置の概略正面図である。
【図９】本発明の第２実施形態に係る計器装置のスピードメータの一部断面図である。
【図１０】本発明の第２実施形態に係る計器装置のスピードメータの見返し部材と導光部材との関係を示す図である。
【発明を実施するための形態】
【０００９】
本発明に係る実施形態について図面を参照して説明する。なお、本発明は下記の実施形態及び図面によって限定されるものではない。下記の実施形態及び図面の内容に変更（構成要素の削除も含む）を加えることができるのはもちろんである。なお、図面において、同一の構成要素が複数描かれている場合には、その一部にのみ符号を付している場合がある。
【００１０】
また、以下の説明では、本発明の理解を容易にするために、重要でない公知の技術的事項の説明を適宜省略している。なお、下記の実施形態では、蓋体側を前方、その反対側を後方という（図２等を参照）。また、表面は、その構成要素の前方側の面をいい、裏面は、その反対側の面をいう。
【００１１】
（第１実施形態）
図１のように、本実施形態に係る計器装置１は、スピードメータ１００と、第１表示装置１９１と、第２表示装置１９２と、を備える。これらは、計器装置１の筐体１ａに収納される。筐体１ａは、前面が透明になっており、ユーザは、スピードメータ１００と、第１表示装置１９１と、第２表示装置１９２と、を視認できる。
【００１２】
また、計器装置１は、図示しない制御部（例えば、ＣＰＵ（Central Processing Unit）、記憶装置等からなる）を備える。制御部は、車両のＥＣＵ（Engine Control Unit）等の外部機器に接続され、外部機器から供給される車両情報（例えば、車両の走行速度、燃料の残量、エンジンの回転数、ライトの点灯、計器のオン等を特定する情報）に基づいて、各種の制御信号を生成する。制御部は、生成した各種の制御信号を、スピードメータ１００と第１表示装置１９１と第２表示装置１９２とに供給し、これらの動作を制御する。
【００１３】
第１表示装置１９１と第２表示装置１９２とは、液晶表示装置等の適宜の表示装置によって構成される。第１表示装置１９１及び第２表示装置１９２は、制御部から供給される制御信号に基づいて、エンジンの回転数、燃料の残量等の車両の情報を表示する。第１表示装置１９１と第２表示装置１９２とは、公知の表示装置によって構成されるので、詳細な説明を省略する。
【００１４】
図１及び図２のように、スピードメータ１００は、指針１１０と、回路基板１２０と、支持部材１３０と、表示部１４０と、見返し部材１５０と、蓋体１６０と、を備える。なお、図２において、理解を容易にするために、指針１１０等は断面として記載していない。
【００１５】
スピードメータ１００は、制御部から供給される制御信号に基づいて、指針１１０を動かして車両の走行速度を表示する。また、スピードメータ１００は、制御部から供給される制御信号に基づいて、第１の光源１２４ａ及び第２の光源１２４ｂを発光させてスピードメータ１００の所定領域を光らせる。
【００１６】
指針１１０は、各種の合成樹脂によって形成され、後述の目盛部１４４を指示する。
【００１７】
回路基板１２０は、基板本体１２１と、基板本体１２１の背面側に実装された指針駆動部１２２と、前記指針駆動部１２２によって回転する回転軸１２３と、基板本体１２１の表面側に実装された第１の光源１２４ａ及び第２の光源１２４ｂと、を備える。
【００１８】
基板本体１２１は、平板状のガラスエポキシ系基材に、指針駆動部１２２を駆動させる駆動回路、第１の光源１２４ａ及び第２の光源１２４ｂを発光させる発光回路等を形成した、硬質の回路基板１２０からなる。駆動回路及び発光回路は、それぞれ、配線パターン、抵抗、コンデンサ等によって構成される。駆動回路は、制御部から供給される制御信号に基づいて、指針駆動部１２２を駆動する。発光回路は、制御部から供給される制御信号に基づいて、第１の光源１２４ａ及び第２の光源１２４ｂを発光させる。
【００１９】
指針駆動部１２２は、可動磁石式駆動装置、ステッピングモータ等を含んで構成される。指針駆動部１２２は、回路基板１２０に形成された軸穴１２１ａ（貫通した孔）に挿入された回転軸１２３に接続される。回転軸１２３には、指針１１０が取り付けられる。指針１１０の下部は、表示部１４０に形成される指針挿入孔１４０ａに挿入されている。指針１１０は、回転軸１２３の回転によって、回転する。
【００２０】
基板本体１２１の駆動回路は、制御部から供給される制御信号に基づいて、指針駆動部１２２を駆動して、制御信号に応じた回転角度で回転軸１２３を回転させる。回転軸１２３の回転に応じて指針１１０も回転する。これによって、指針１１０は、制御信号に応じた、つまり、車両の走行速度に応じた所定の回転角度で回転し、後述の目盛部１４４、又は、互いに隣接する目盛部１４４の間を指示する。指針１１０の指示をユーザが見ることによって、ユーザは車両の走行速度を認識する。
【００２１】
第１の光源１２４ａ及び第２の光源１２４ｂは、それぞれ、１以上のＬＥＤ（Light Emitting Diode）等によって構成される。第１の光源１２４ａ及び第２の光源１２４ｂは、光を出射することによって、表示部１４０を後方（背面）側から光を照らす（照光する）。第１の光源１２４ａは、主に、後述の目盛部１４４を照光する。第２の光源１２４ｂは、主に、指針１１０を照光する。このような照光によって目盛部１４４及び指針１１０は明るくなるので、ユーザは暗所であっても目盛部１４４及び指針１１０を視認できる。第１の光源１２４ａ及び第２の光源１２４ｂは、表示部１４０の後方（背面）に配置されている。
【００２２】
支持部材１３０は、硬質の合成樹脂等からなり、回路基板１２０上に固定される。支持部材１３０は、表示部１４０を支持する。これによって、回路基板１２０と表示部１４０とは離間して固定される。また、支持部材１３０は、第１の光源１２４ａ及び第２の光源１２４ｂの照光を妨げない形状で、第１の光源１２４ａ及び第２の光源１２４ｂの照光を妨げない位置に配置される。
【００２３】
表示部１４０は、シート状の基材１４１と、この基材１４１の表面に形成された第１の層１４２と、第１の層１４２の表面に形成された第２の層１４３と、を備える。また、表示部１４０は、指針１１０の指示対象である目盛部１４４を備える。また、表示部１４０の中央は、指針１１０が回転可能に挿入される指針挿入孔１４０ａを備える。
【００２４】
基材１４１は、合成樹脂によって形成され、透光性を有する。特に、基材１４１は、透明であることが望ましい。基材１４１は、ここでは、中央に貫通孔（指針挿入孔１４０ａに対応した孔）が形成された円盤状の部材である。基材１４１は、他の形状であってもよい。
【００２５】
第１の層１４２は、所定のインクを基材１４１の表面に印刷、塗装する方法等によって形成される。例えば、第１の層１４２は、第１の光源１２４ａから出射された光を一部又は全部透過する層である。
【００２６】
第２の層１４３は、所定のインクを第１の層１４２の表面に印刷、塗装等する方法によって形成される。例えば、第２の層１４３は、表示部１４０の地色を表現する層である。表示部１４０の地色は、表示部１４０における目盛部１４４以外の部分の色であって、目盛部１４４とは基本的に異なる色である。
【００２７】
第２の層１４３は、所定の領域において形成されていない。以下では、この第２の層１４３が形成されていない領域を抜き領域１４３ａという。この抜き領域１４３ａは、複数形成され、各抜き領域１４３ａは目盛の形状（目盛を含む他の形状であってもよい。）に形成される。このため、抜き領域１４３ａにおいて、第１の層１４２が露出し、各抜き領域１４３ａによって各目盛が表現される。各目盛部１４４は、それぞれ、抜き領域１４３ａにおいて露出する第１の層１４２と、基材１４１におけるこの第１の層１４２の露出部分（抜き領域１４３ａ）に対応する部分と、を含んで構成される。第１の層１４２の露出部分（抜き領域１４３ａ）に対応する部分とは、例えば、第１の層１４２の露出部分（抜き領域１４３ａ）の直下の部分である。表示部１４０の前方側から見て、抜き領域１４３ａが目盛部１４４になり、光を透過する透過部になる。
【００２８】
目盛部１４４の色は、第１の層１４２によって表現される。また、目盛部１４４が第１の光源１２４ａによって照光される場合には、目盛部１４４の色は、第１の層１４２が光る色によって表現される。
【００２９】
第１の層１４２は、例えば、白色の層である。この場合、目盛部１４４が第１の光源１２４ａによって、照光される場合（照光時）及び照光されない場合（非照光時）の両者において、目盛部１４４の色は白色になる。第１の層１４２は、例えば、他の色であってもよく、この場合には、照光時及び非照光時において、目盛部１４４の色はその色になる。第１の層１４２は、例えば、基材１４１の表面に形成された白色以外の色の層と、その上に形成された白色の層と、の積層構造の層であっても良く、この場合、目盛部１４４は、照光時は前記の白色以外の色に光り、非照光時は白色になる。
【００３０】
なお、上記の目盛部１４４と同様の構成によって、表示部１４０に複数の、数字、記号等を表現してもよい。
【００３１】
また、第２の層１４３は、基本的に光を透過させない遮光性を有するが、適宜、透光性を有するものであってもよい。この場合、照光時に第２の層１４３も光る。また、第１の層１４２と第２の層１４３とは、基材１４１の裏面側に形成してもよい。
【００３２】
上記のような構成によって目盛部１４４は、透光性を有する。目盛部１４４は、透光性を有していれば他の構造であってもよい。目盛部１４４が透光性を有すると、照光時に、目盛部１４４は、第１の光源１２４ａからの光を透過し、透過した光を出射させる。これによって、ユーザは目盛部１４４が光って見える。
【００３３】
各目盛部１４４は、走行速度の速さの度合いの目盛を示すものであり、指針１１０によって指示された目盛部１４４に応じた速度で車両が走行していることになる。
【００３４】
見返し部材１５０は、表示部１４０の前方に配置され、表示部１４０の表示領域（目盛部１４４の少なくとも一部及び指針１１０の作動範囲を含む領域）よりも外側の領域をユーザから目隠しするためのものである。また、この見返し部材１５０は、表示部１４０の表示領域を見やすくするためのものである。
【００３５】
見返し部材１５０は、例えば、硬質合成樹脂製で、両端開口の筒状部材１５１（ここでは、内壁１５１ａの断面が略円の円筒状部材）を有する。筒状部材１５１は、表示部１４０の前方に配置され、第１開口部１５５側の端部が表示部１４０に当接し、目盛部１４４の一部及び指針１１０の作動範囲を囲む。筒状部材１５１は、内壁１５１ａの断面が、略円形、楕円形、略四角形等、目盛部１４４の少なくとも一部及び指針１１０の作動範囲を囲む筒状の形状であればどのような形状であってもよい。筒状部材１５１は、例えば、内壁１５１ａ断面が、真円の他、曲線と直線とのうちの一方又は両方によって構成された閉じた形状のものである。筒状部材１５１によって、スピードメータ１００の表示に奥行き感が付加される。
【００３６】
また、見返し部材１５０は、筒状部材１５１以外の部材をさらに備えた構造であってもよい。ここでは、見返し部材１５０（つまり、筒状部材１５１）は、合成樹脂等によって、一体的に形成されているが、見返し部材１５０は複数の部材を組み合わせたものであってもよい。筒状部材１５１は、複数の部材を組み合わせたものであってもよい。
【００３７】
筒状部材１５１の第１開口部１５５は、筒状部材１５１の第２開口部１５６よりも狭く形成されている。これによって、この筒状部材１５１の内壁１５１ａは、前方に向かって広がっている。また、内壁１５１ａは、目盛部１４４に重なっており、目盛部１４４に接している。
【００３８】
筒状部材１５１の内壁１５１ａは、複数の強反射領域１５２と、この強反射領域１５２以外の領域で、強反射領域１５２に隣接する領域である複数の隣接領域１５３と、を有する。
【００３９】
照光時において、目盛部１４４を透過した第１の光源１２４ａからの光（つまり、目盛部１４４から出射した第１の光源１２４ａからの光）の一部は、見返し部材１５０に当たる。強反射領域１５２は、目盛部１４４を透過した第１の光源１２４ａからの光を隣接領域１５３よりも強く反射する。ここで、強く反射するとは、例えば、異なる波長の光をより多く反射するか、光の反射率が高いか、又は、その両方をいう。例えば、強反射領域１５２は、隣接領域１５３よりも光沢があることによって、隣接領域よりも光を強く反射する。
【００４０】
強反射領域１５２は、内壁１５１ａの周方向（表示部１４０を囲む方向）に対して垂直な方向に沿って延びる直線状の領域であり、一端が目盛部１４４に向かって延び、目盛部１４４に達している。強反射領域１５２は、内壁１５１ａの一端部における目盛部１４４に接する位置から、内壁１５１ａの他端部に達している。強反射領域１５２は、この目盛部１４４に接する。
【００４１】
強反射領域１５２が目盛部１４４から出射した光源からの光を隣接領域１５３よりも強く反射することによって、反射した光がユーザの目に入る。このため、目盛部１４４と強反射領域１５２とが、筋状（直線状）に光って見える（図３の目盛部１４４及び強反射領域１５２参照）。これによって、ユーザがスピードメータ１００を見たときに、スピードメータ１００による表示が立体的に見える。なお、ここでは、理想的な状態として、強反射領域１５２は全て光って見えているが、実際には各強反射領域１５２上の一部分の領域のみが光って見えても良い。このような場合でも、目盛部１４４と強反射領域１５２とが、筋状に光って見え、スピードメータ１００の表示が立体的に見える。以上のように、計器装置１の見返し部材１５０にこのような強反射領域１５２を形成したことによって、目盛部１４４の外側（つまり筒状部材１５１の内壁１５１ａ）について、表示が立体的になる。また、強反射領域１５２が光を反射するので、ユーザの位置によって、表示の見え方が変化する。
【００４２】
ここで、強反射領域１５２の詳細な形状の例を図４乃至６を用いて説明する。
【００４３】
例えば、図４のように、強反射領域１５２ａ（強反射領域１５２に対応する）は、内壁１５１ａの凹部（溝）によって構成される。この場合、例えば、強反射領域１５２ａ（溝）を構成する面（特に溝の底面）は、鏡面仕上げとして、隣接領域１５３をシボ加工とする。これによって、強反射領域１５２ａは隣接領域１５３よりも光を反射する。溝の断面は、四角形の他、半円等であってもよい。強反射領域１５２ａが凹部（溝）によって構成されることによって、光が筋状に見えやすくなる。
【００４４】
例えば、図５のように、強反射領域１５２ｂ（強反射領域１５２に対応する）は、内壁１５１ａの凸部によって構成される。この場合、例えば、強反射領域１５２ｂ（凸部）の表面は、鏡面仕上げとして、隣接領域１５３をシボ加工とする。これによって、強反射領域１５２ｂは隣接領域１５３よりも光を反射する。凸部の断面は、四角形の他、半円等であってもよい。凸部（特に断面が半円の場合）によって、ユーザの位置による表示の見え方の変化がしやすい。
【００４５】
例えば、図６のように、強反射領域１５２ｃ（強反射領域１５２に対応する）は、内壁１５１ａにおいて隣接領域１５３と略同じ（同じも含む。）高さであってもよい。つまり、内壁１５１ａは略平坦でもよい。この場合、例えば、強反射領域１５２ｃの表面は、鏡面仕上げとして、隣接領域１５３をシボ加工とする。これによって、強反射領域１５２ｃは隣接領域１５３よりも光を反射する。強反射領域１５２ｃが平坦（特に断面が半円の場合）であることによって、ユーザの位置による表示の見え方の変化がしやすい。
【００４６】
強反射領域１５２と隣接領域１５３とは、印刷、塗装等の内壁１５１ａへの加工によって形成されてもよい。例えば、内壁１５１ａがもともと光を反射しやすい面（例えば反射率の高い面）である場合、内壁１５１ａの隣接領域１５３に当たる領域に所定のインクを用いた塗装を行い、塗装された領域を内壁１５１ａよりも光を反射しない領域にすることによって、強反射領域１５２と隣接領域１５３とを形成してもよい。
【００４７】
また、強反射領域１５２に対応する部材を予め用意し、この部材をインサートするインサート成型によって見返し部材１５０（又は筒状部材１５１）を形成し、筒状部材１５１の内壁１５１ａに強反射領域１５２と隣接領域１５３とを形成してもよい。また、強反射領域１５２の幅は前後方向において変化してもよい。
【００４８】
図１及び図２の説明に戻り、蓋体１６０は、各種の合成樹脂によって形成され、透明であり、見返し部材１５０の第２開口部１５６を塞ぐ。これによって、見返し部材１５０内にゴミ等が入ることを防止する。
【００４９】
また、目盛部１４４は、強反射領域１５２の端部近傍に位置すれば良い。つまり、強反射領域１５２は、第１開口部１５５側の一端が目盛部１４４に向かって延びていれば良く、目盛部１４４に連続していなくても良い。この場合、目盛部１４４と強反射領域１５２とは、照光時、目盛部１４４と強反射領域１５２との間が途切れた筋状に光ることになるが、この場合でも、目盛部１４４の外側（つまり筒状部材１５１の内壁１５１ａ）について、表示が立体的になる場合がある。しかし、目盛部１４４は、筒状部材１５１の内壁１５１ａと重なる等して接した方が望ましい。これによって、目盛部１４４と強反射領域１５２とが接し、目盛部１４４と強反射領域１５２とが照光時に、連続した筋状に光るので、ユーザへの印象がよくなる。目盛部１４４と強反射領域１５２とが連続しない場合は、例えば、強反射領域１５２が内壁１５１ａの第１開口部１５５側の端部に達していないか、目盛部１４４が筒状部材１５１（内壁１５１ａ）と重なっていない（接触していない）場合である。
【００５０】
強反射領域１５２は、各目盛部１４４全てについて形成されているが、各目盛部１４４のうちの一部（複数の目盛部１４４が望ましい。）について形成されてもよい（図７参照）。
【００５１】
以上のように、本実施形態においては、計器装置１の見返し部材１５０に強反射領域１５２を形成したことによって、目盛部１４４の外側（つまり見返し部材１５０の筒状部材１５１の内壁１５１ａ）について、表示が立体的になる。特に、内壁１５１ａは、通常、表示部１４０、指針１１０等を見やすくするために、光を反射しないような処理が施されているが、敢えて、内壁１５１ａの一部に強反射領域１５２を形成することによって、目盛部１４４の外側について、表示を立体的にすることができることになる。
【００５２】
（第２実施形態）
第２実施形態の計器装置２は、第１実施形態の計器装置１と比べて、スピードメータが異なる。計器装置２のスピードメータ２００は、スピードメータ１００と比べて表示部及び見返し部材（筒状部材）が異なる。なお、下記及び図面では、第１実施形態と同様のものについては、同一の符号を付す。また、第１実施形態と同様の構成要素の詳細な説明は、上記第１実施形態の説明に準じ、詳細な説明を省略する。
【００５３】
図８及び９のように、スピードメータ２００の表示部２４０は、基材２４１（第１実施形態の基材１４１に対応する。）と、第１の層２４２（第１実施形態の第１の層１４２に対応する。）と、第２の層２４３（第１実施形態の第２の層１４３に対応する。）と、導光部材２４５と、を備える。ここで、基材２４１と、第１の層２４２と、第２の層２４３と、によって、表示部２４０の表示に使用される表示板が構成される。この表示板は、第１実施形態の表示部１４０と略同様の構成である。表示部２４０は、表示板に導光部材２４５をさらに追加した構成である。
【００５４】
導光部材２４５は、表示板と外形が略同様であり、表示板の表面を覆っている。導光部材２４５は、中央に中央貫通孔２４５ｃを有する円盤状の基材２４５ａとこの基材２４５ａの表面に形成された複数の凸部２４５ｂとを備える。中央貫通孔２４５ｃには、指針１１０が回転可能に挿入される。導光部材２４５は、他の形状であってもよい。導光部材２４５は、透明な合成樹脂製のものである。導光部材２４５の裏面には図示しない微少な凹凸が形成され、導光部材２４５は、外部から入射した光を導光し易い構造になっている。また、導光部材２４５の基材２４５ａの外周部の適宜の場所に図示しない切欠きが形成され、導光部材２４５は、外部から入射した光を導光し易い構造になっている。導光部材２４５は、主に、透過部である抜き領域２４３ａから出射する光を導光し、ユーザに表示板を視認しやすくさせる。
【００５５】
凸部２４５ｂは、導光部材２４５における（基材２４５ａの表面における）目盛を覆う位置に形成され、目盛を覆う。本実施形態では、指針１１０の指示対象である目盛部２４４は、目盛と凸部２４５ｂと基材２４５ａの凸部２４５ｂに対応する領域とを含んで構成される。目盛から出射される第１の光源１２４ａからの光は、凸部２４５ｂ等によっても導光される。凸部２４５ｂは、導光部材２４５において導光された光を透過して出射する。これによって、目盛部２４４は、立体的に光って見える。
【００５６】
このように、表示部２４０は、第１の光源１２４ａからの光を透過する透過部（ここでは、目盛）が設けられた表示板と、表示部２４０の前方側から表示板を覆う導光部材２４５と、を備える。また、導光部材２４５は、透過部が透過した光源からの光を透過して出射する凸部２４５ｂを備え、目盛部２４４は、凸部２４５ｂを含む。
【００５７】
また、表示部２４０は、表示板の外周部における凸部２４５ｂに対応する部分に切欠き２４０ａを備える。第１の光源１２４ａからの光は、支持部材１３０を反射し、切欠き２４０ａによって形成される空間を通過して、導光部材２４５の基材２４５ａの周縁部に入射する（図９の点線矢印参照）。この周縁部に入射した光も導光部材２４５によって導光され、導光部材２４５の所定部分が光る。
【００５８】
見返し部材２５０は、第１実施形態における見返し部材１５０（筒状部材１５１）に切欠き２５０ａを形成したものであり、切欠き２５０ａ以外は見返し部材１５０と同様の構成である。内壁２５１ａは、内壁１５１ａに対応し、強反射領域２５２は、強反射領域１５２に対応し、隣接領域２５３は、隣接領域１５３に対応する。
【００５９】
また、見返し部材２５０が備える切欠き２５０ａに、目盛部２４４が嵌められる（図１０参照。なお、図１０では、表示部２４０の中心側から見返し部材２５０及び目盛部２４４を見ている）。また、強反射領域２５２は、この切欠き２５０ａに繋がっており、これによって、強反射領域２５２と目盛部２４４とは、連続しており、第１の光源１５２ａによる照光時において、強反射領域２５２と目盛部２４４とは、第１実施形態と略同様に、筋状に光って見え、立体的に見える。このため、計器装置２の見返し部材２５０の筒状部材２５１の内壁２５１ａに強反射領域２５２を形成したことによって、目盛部２４４の外側（つまり内壁２５１ａ）について、表示が立体的になる。また、目盛部２４４も立体的になるので、計器装置２のスピードメータ２００の表示全体が立体的になる。
【００６０】
強反射領域２５２は、目盛部２４４に連続していなくても良い。この場合、目盛部２４４と強反射領域２５２とは、照光時、目盛部２４４と強反射領域２５２との間が途切れた筋状に光ることになるが、この場合でも、目盛部２４４の外側（つまり内壁２５１ａ）について、表示が立体的になる場合がある。しかし、目盛部２４４は、強反射領域２５２は、目盛部２４４に連続した方が望ましい。これによって、目盛部２４４と強反射領域２５２とが照光時に、連続した筋状に光るので、ユーザへの印象がよくなる。目盛部２４４と強反射領域２５２とが連続しない場合は、例えば、強反射領域２５２が切欠き２５０ａに達していない場合である。
【００６１】
見返し部材２５０のその他の詳細な説明（特に、強反射領域２５２等）は、第１実施形態における各構成要素の説明に準じる。また、本実施形態における他の詳細な説明についても第１実施形態における各構成要素の説明に準じる。
【００６２】
なお、上記では、目盛が透光性を有する場合を示したが、目盛が透光性を有さず、目盛の周囲が透光性を有してもよい。この場合、目盛の周囲（透過部）が透過させる光を導光部材２４５で導光し、凸部２４５ｂが第１の光源１２４ａ等からの光を透過して出射し、目盛部が光る。また、表示板に目盛が形成されずに、表示板が透光性を有する部分（例えば、表示板の周方向に沿って帯状に形成された光透過部）を有しても良い。この場合でも、透光性を有する部分から出射される光を導光部材２４５が導光し、凸部２４５ｂが第１の光源１２４ａ等からの光を透過して出射し、目盛部が光る。このように、表示部２４０は、第１の光源１２４ａからの光を透過する透過部が設けられた表示板と、表示部２４０の前方側から表示板を覆う導光部材２４５と、を備えればよく、凸部２４５ｂは、透過部が透過した光源からの光を透過して出射すればよい。また、目盛部は、凸部２４５ｂであってもよい。
【００６３】
（変形例）
上記各実施形態では、本発明の特徴の一例をスピードメータに適用した例を示したが、本発明は、見返し部材を有する各種メータ（特に指針及び目盛を用いたアナログメータ）に適宜適用できる。
【符号の説明】
【００６４】
１        計器装置
２        計器装置
１ａ      筐体
１００    スピードメータ
１１０    指針
１２０    回路基板
１２１    基板本体
１２１ａ  軸穴
１２２    指針駆動部
１２３    回転軸
１２４ａ  第１の光源
１２４ｂ  第２の光源
１３０    支持部材
１４０    表示部
１４０ａ  指針挿入孔
１４１    基材
１４２    第１の層
１４３    第２の層
１４３ａ  抜き領域
１４４    目盛部
１５０    見返し部材
１５１    筒状部材
１５１ａ  内壁
１５２    強反射領域
１５２ａ  強反射領域
１５２ｂ  強反射領域
１５２ｃ  強反射領域
１５３    隣接領域
１５５    第１開口部
１５６    第２開口部
１６０    蓋体
１９１    第１表示装置
１９２    第２表示装置
２００    スピードメータ
２４０    表示部
２４０ａ  切欠き
２４４    目盛部
２４５    導光部材
２４５ａ  基材
２４５ｂ  凸部
２４５ｃ  中央貫通孔
２５０    見返し部材
２５０ａ  切欠き
２５１    筒状部材
２５１ａ  内壁
２５２    強反射領域
２５３    隣接領域
【図１】
2011085554.tif 000003
【図２】
2011085554.tif 000004
【図３】
2011085554.tif 000005
【図４】
2011085554.tif 000006
【図５】
2011085554.tif 000007
【図６】
2011085554.tif 000008
【図７】
2011085554.tif 000009
【図８】
2011085554.tif 000010
【図９】
2011085554.tif 000011
【図１０】
2011085554.tif 000012